(57)【特許請求の範囲】
【請求項１】
水洗トイレその他の水槽内に取り付けられ、水槽内に定期的に薬液を分配する薬液分配装置において、
下方に開口する有底筒状の装置本体を備え、この装置本体の内部であって、下端の開口から所定の高さに、薬剤を載置保持する薬剤保持部を設けると共に、
一端が装置本体の内側に向かって開口し、他端が装置本体の外側であって装置本体の下端より上方に位置する吸水通路部を備え、
前記薬剤保持部は、装置本体内の水位低下に伴って吸水通路部内の水が吸い上げられ、その水に薬剤が溶け込んだ薬液が装置本体内もしくは水槽内の水に混在するための孔を有しており、
かつ装置本体内の空気の外部方向への放出を許可する逆止弁手段を形成することを特徴とする薬液分配装置。
【請求項２】
水洗トイレその他の水槽内に取り付けられ、水槽内に定期的に薬液を分配する薬液分配装置において、
下方に開口する有底筒状の装置本体を備え、この装置本体の内部であって、下端の開口から所定の高さに、薬剤を載置保持する薬剤保持部を設けると共に、
一端が薬剤保持部より上方位置であって装置本体の内側に向かって開口し、他端が装置本体の外側であって装置本体の下端より上方に位置するパイプ状の吸水通路部を備え、
装置本体内の水位低下に伴って吸水通路部内の水が薬剤保持部の上面に吸い上げられ、その水に薬剤が溶け込んだ薬液を薬剤保持部の下方に滴下する滴下口を形成し、
かつ装置本体上部に、装置本体内の空気の外部方向への放出を許可する逆止弁手段を形成したことを特徴とする請求項１に記載の薬液分配装置。
【請求項３】
上記吸水通路部の開口と薬剤との間に位置し、この開口から噴出する水が薬剤の側面にかかることを防止するガード部を形成したことを特徴とする請求項１に記載の薬液分配装置。
【請求項４】
上記薬剤保持部の上面と薬剤との間に、吸水通路部から吸い上げられた水を薬剤の下面全体に分布させるための空間を形成する空間形成手段を設けたことを特徴とする請求項１に記載の薬液分配装置。
【請求項５】
上記装置本体の上端部を着脱自在の蓋部とし、この蓋部を取り外すことにより薬剤の補充を可能としたことを特徴とする請求項１に記載の薬液分配装置。
【請求項６】
薬剤保持部の上方に芳香剤を取り付けられるようにしたことを特徴とする請求項１に記載の薬液分配装置。
【請求項７】
請求項１〜６のいずれか一項に記載の薬液分配装置に用いられる固形の薬剤であって、常温で固体の界面活性剤粒及び固体酸を含有する成形体で形成されたことを特徴とする薬剤。
【発明の詳細な説明】
【技術分野】
【０００１】
本発明は、水洗トイレのフラッシュタンク等の水槽内にセットされ、水槽内の水に定期的に薬剤などの薬液を分配する薬液分配装置に関する。
本願は、２００５年1月２０日に、日本に出願された特願2005−013178号、２００５年７月２９日に、日本に出願された特願2005−220865号、及び２００５年８月３１日に、日本に出願された特願2005−250575号に基づき優先権を主張し、その内容をここに援用する。
【背景技術】
【０００２】
水洗トイレの水槽に貯水された水は、用を足す毎に便器側に流され、便器の内面全体に沿って流れる。そこで、水槽内の水に薬剤などの薬液を定期的に定量づつ分配し、水を流す毎に便器を洗浄するための薬液分配装置が多数提案されている。【０００３】
例えば、下方に開口する有底筒状の本体部を、水槽内の水が排水された状態で下端の開口が水面より上方に位置するように水槽内にセットすると共に、水槽の外部に薬液を貯水する薬液タンクを取り付け、本体部の上部に一端が開口し他端が薬液タンクの薬液中に水没する吸液管を設け、さらに本体部の上面に、本体内の空気を外部へ放出する逆止弁を取り付けたものが知られている（例えば、特許文献１参照）。【０００４】
このものでは、水槽に水が注水され水位が上昇すると、本体部の下端の開口から水が本体内に入り本体内の空気を逆止弁を介して外部に放出させながら、本体部内の水位も上昇する。水槽内の水を排水すると水槽内の水面が下降し、本体部内の水位も下降しようとする。ところが、逆止弁の作用で本体部内に外部から空気を吸引することができないので、本体部内の上部空間部分は負圧になる。すると、吸液管を介して薬液タンク内の薬液が本体部内に吸い込まれる。吸い込まれた薬液は本体内を落下して本体内の水に滴下する。本体部の外部の水位が本体部の下端の開口よりも下がると、開口から空気が本体部内に流れ込み、吸液管を介しての薬液の吸い込みが停止される。そして、この動作は、水槽への吸水および排水毎に定期的に繰り返され、その都度ほぼ一定量の薬液が薬液タンクから本体部側へ吸い出される。【０００５】
また、下方に開口するカップ状の容器内に、水がかかるとその部分が溶解して薬液を生成する薬剤を保持すると共に、このカップ状の容器の下端近傍に開口する貯水タンク部を、容器の上部に位置するように容器と一体に設け、これら容器と貯水タンク部とを水槽内に完全に水没するように取り付けるようにしたものが記載されている（例えば、特許文献２参照）。【０００６】
このものでは、貯水タンクに空気抜き穴が設けられており、水槽内の水位が上昇すると、カップ状の容器内には水が侵入せず、そのため薬剤は水没しないが、貯水タンクには空気抜き穴から空気が押し出されて水が充填される。そして、水槽内の水が排水されて水位が低下すると貯水タンク部内の水が重力の作用で開口から容器内へ噴出する。その噴出した水が薬剤にかかるように開口の位置および開口方向を設定しておくことにより、薬剤の一部が溶解して薬液が水槽内に滴下される。
【特許文献１】実開平６−３０２８４号公報（図１から図４）
【特許文献２】特開昭６２−２４８７２５号公報（第５図から第８図）
【発明の開示】
【発明が解決しようとする課題】
【０００７】
上記特許文献１記載のものでは、水槽内の水位の低下によって水槽外に設置した薬液タンク内の薬液を水槽内に吸い込むものであるが、この薬液の吸い込みは水槽内の水位が本体部の下端の開口位置より下方に減水するまで継続する。そのため、１回の吸い込みで比較的多量の薬液が水槽内に吸い込まれる。したがって、水槽の外側に設置された薬液タンクの容量を非常に大きくしておかなければ、短い周期で常に薬液を補充するか、大型の薬液タンクを設置せざるを得ないという不具合が生じる。なお、薬液の濃度を濃くして１回に吸い込まれる量を少なくすると、薬液の吸い込み量を正確に設定しなければ、水槽内の水と混合されたあとの濃度がばらつくほか、薬液タンクの薬液の減少速度がばらつくという新たな不具合が生じる。更に、本体部を水槽の内部に設置し薬液タンクを水槽の外側に設置しなければならないので、装置全体が大型化し、かつ複雑化するという不具合も生じる。【０００８】
つぎに上記特許文献２記載のものでは、常に空気が残存する容器を完全に水没させるため、容器に浮力が生じるが、この容器は貯水タンクの下方に位置するので、水槽内での固定が不完全であると浮力によって上下転倒するおそれがある。また、貯水タンクを容器に対してあまり高く設定できないので、貯水タンクからの水が薬剤に噴出する勢いを強くすることが難しく、安定して水を薬剤にかけることが困難である。【０００９】
そこで本発明は、上記の問題点に鑑み、上述の不具合を解消し、安定して薬液を水槽内に配分することのできる薬液分配装置と、この薬液分配装置に好適な薬剤とを提供することを課題とする。
【課題を解決するための手段】
【００１０】
上記課題を解決するために本発明による薬液分配装置は、水洗トイレその他の水槽内に取り付けられ、水槽内に定期的に薬液を分配する薬液分配装置において、下方に開口する有底筒状の装置本体を備え、この装置本体の内部であって、下端の開口から所定の高さに、薬剤を載置保持する薬剤保持部を設けると共に、一端が薬剤保持部より上方位置であって装置本体の内側に向かって開口し、他端が装置本体の外側であって装置本体の他端より上方に位置する吸水通路部を備え、装置本体内の水位低下に伴って吸水通路部内の水が薬剤保持部の上面に吸い上げられ、その水に薬剤が溶け込んだ薬液が、装置本体内もしくは水槽内の水に混在するための孔を薬剤保持部の下方に滴下する滴下口を形成し、かつ装置本体上部に、装置本体内の空気の外部方向への放出を許可する逆止弁手段を形成したことを特徴とする。【００１１】
上記構成では、水槽内の水を排出すると水槽内の水面が吸水通路部の下端位置まで下降するまでは装置本体および吸水通路部内の水は移動することができず、高水位のまま保持される。水槽内の水位が吸水通路部の下端より下方になると、吸水通路部の下端の開口が空気中に露出するので、吸水通路部の下端の開口から空気を吸い込みながら、装置本体部内の水が一気に下降する。吸水通路部内に充満していた水は吸水通路の下端開口から吸引される空気と共に装置本体内へと吸い込まれる。その吸い込まれた水は薬剤保持部上に拡がるので、薬剤の下面に浸透し溶液が生成される。そしてその溶液は滴下口を通って水槽内の水に滴下される。【００１２】
ところで、薬剤保持部に固形の薬剤をむき出しの状態で載置した場合、吸水通路部内の水が薬剤の側面にかかると、その部分から溶解して薬剤が均等に減少しない。そのような場合には、上記吸水通路部の開口と薬剤との間に位置し、この開口から噴出する水が薬剤の側面にかかることを防止するガード部を形成することが望ましい。水がこのガード部に当たると薬剤保持部の上面にゆっくりと拡がり、薬剤の下面を均等に溶解させる。【００１３】
とくに、上記薬剤保持部の上面と薬剤との間に、吸水通路部から吸い上げられた水を薬剤の下面全体に分布させるための空間を形成する空間形成手段を設ければ、更に確実に薬剤の下面を均等に溶解させることができる。【００１４】
なお、上記装置本体の上端部を着脱自在の蓋部とし、この蓋部を取り外すことにより薬剤の補充を可能としてもよい。【００１５】
また、薬剤保持部の上方に芳香剤を取り付けられるように構成すれば、装置本体内の空気が入れ替わる毎に芳香剤からの芳香を含んだ空気が排出される。【００１６】
上記薬剤分配装置に用いる薬剤には、界面活性剤、香料、色素、殺菌剤、抗菌剤、防カビ剤など、用途に応じて必要な物質を適宜成分として用いることが出来る。【００１７】
また、薬剤としては、上記薬液分配装置に用いられる固形の薬剤であって、常温で固体の界面活性剤粒及び固体酸を含有する成形体で形成したものが好適である。
【発明の効果】
【００１８】
以上の説明から明らかなように、本発明は、吸水通路部を介して吸引される一定量の水に薬剤を溶解させて薬液を生成するので、大きな薬液タンクを必要とせず、また、１回のサイクルで薬剤に向かって吸い込まれる水の量は吸水通路部の体積を増減することによって調節することができ、１回ごとに生成される薬液の量を安定させることができる。また、装置全体を完全に水没させないので、比較的簡単な取り付け構造で装置全体を安定した姿勢で水槽に取り付けることができる。
【図面の簡単な説明】
【００１９】
【図１】本発明の一実施の形態の構成を示す図
【図２】本装置の構造を示す破断斜視図
【図３】逆止弁の構造を示す図
【図４】水位上昇時の過程を示す図
【図５】水位下降時の途中経過を示す図
【図６】薬液滴下状態を示す図
【図７】他の実施の形態での薬剤保持部を示す図
【図８】その構成を示す断面図
【図９】他の実施の形態における構造を示す破断斜視図
【符号の説明】
【００２０】
１  薬液分配装置
２  装置本体
３  吸水通路管
４  蓋体
５  逆止弁
６  薬剤保持部
７  金網
８  薬剤
６５  突起
【発明を実施するための最良の形態】
【００２１】
図１および図２を参照して、１は本発明による薬液分配装置である。本薬液分配装置１は筒状の装置本体２を備えている。またこの装置本体２の上端部分は蓋体４が着脱自在に取り付けられており、蓋体４が取り付けられた状態で装置本体２は有底筒状体となる。【００２２】
この装置本体２は外面に取り付け用のフック１１を備えており、このフック１１を水洗トイレの水槽であるフラッシュタンクＴの周壁に引っかけることによりフラッシュタンクＴ内にセットされる。なお、装置本体２の開口２１が下方に向かって開口するように取り付けられる。【００２３】
装置本体２の内部には、上下方向の中間位置よりも上方に位置して水平な薬剤保持部６が設けられている。この薬剤保持部６の上面には環状の位置決め部６１が形成されている。また、この位置決め部６１の内外に位置して複数の滴下口６２が形成されている。本実施の形態では、位置決め部６１内に金網７をセットし、その金網７の上に薬剤８を載置した。【００２４】
この金網７は薬剤保持部６の上面と薬剤８の下面との間に均等に空間を確保するためのものであり、後述するように薬剤保持部６の上面に水が吸い込まれた際に、その水が薬剤８の下面全体に均等に行き渡るようにするためのものである。【００２５】
この薬剤８は、常温で固体の界面活性剤粒及び固体酸を含有する成形体で形成されている。好ましくは、成形体中の界面活性剤粒の濃度が５〜４０重量％で、成形体中の固体酸の濃度が４０〜９５重量％になるように調整する。ところで、界面活性剤としては、エチレンオキサイド−プロピレンオキサイド共重合物、エチレンオキサイド−プロピレンオキサイド共重合物及びソルビタンモノオレート、との混合物、並びにエチレンオキサイド−プロピレンオキサイド共重合物及びジオクチルスルフォコハク酸ナトリウムとの混合物からなる群から選ばれる少なくとも一種を用いる。【００２６】
固体酸としては、フマル酸、アジピン酸、オルトフタル酸、コハク酸、マレイン酸、メチレンコハク酸、硼酸などが挙げられる。これらの固体酸は１種単独、もしくは２種以上の混合物として使用される。【００２７】
また、溶解した薬剤に着色するため、色素を含有させてもよい。この色素としては、ベンジル−エチル−〔４´−（４´´−（ベンジルエチルアミノ）−ジフェニルメチレン）−２´，５−シクロヘキサジエニリデン〕−アンモニウム−２´´´，３，３´´´−トリスルホン酸ジナトリウム単独又はベンジル−エチル−〔４´−（４´´−（ベンジルエチルアミノ）−ジフェニルメチレン）−２´，５−シクロヘキサジエニリデン〕−アンモニウム−２´´´，３，３´´´−トリスルホン酸ジナトリウムと他の水溶解性色素との混合物を用いることができる。【００２８】
装置本体２の側壁には、薬剤保持部６の上方に開口する噴出口３１が形成されている。この噴出口３１は装置本体２の外部に取り付けたパイプ状の吸水通路管３に接続されている。この吸水通路管３の下端の開口３２は装置本体２の開口２１よりも上方に位置するように設定されている。【００２９】
ところで、位置決め部６１の一部であって噴出口３１に対向する部分はガード部６３として機能し、噴出口３１から噴出する水が薬剤８の側面にかからないようにする。また、このガード部６３と薬剤保持部６の上面との間には通水窓６４が形成されており、噴出口３１から噴出されガード部６３にぶつかった水はこの通水窓６４を通って薬剤８の下面全体に拡がる。【００３０】
上記蓋体４には逆止弁５が取り付けられている。この逆止弁５は、蓋体４に形成された空気抜き穴４１に取り付けられており、空気抜き穴４１を上方から覆うことのできる弁体部５１と、弁体部５１の下面中央から下方に延びる軸部５２と、軸部５２の下端に形成された抜け止め部５３とか構成されている。なお、この軸部５２と空気抜き穴４１との間には隙間が確保されており、蓋体４を装置本体２の上部に取り付けた状態で、装置本体２の内部の圧力が周囲より高くなると、装置本体２内の空気が空気抜き穴４１を通って弁体部５１を押し上げて、外部に放出できる。逆に装置本体２内の圧力が周囲より低くなると弁体部５１が空気抜き穴４１を閉鎖して、外部から装置本体２内へ空気が吸い込まれないように作用する。【００３１】
上記構成で、水槽Ｔに水が注水される状態を図４を参照して説明する。水槽Ｔの水位は、排水された直後はＬＶ１１にある。その状態から注水が行われると、水位が吸水通路管３の開口３２と同じ高さＬＶ１２に達するまでは、装置本体２へは開口２１から水が流入し、水面上昇に伴って装置本体２内の空気は吸水通路管３を通って開口３２から排気される。水槽Ｔ内の水位がＬＶ１２より高くなると、装置本体２内の空気は逆止弁５が開弁することにより排気される。そして、水槽Ｔ内の水位が満水状態の水位ＬＶ１３に到達すると、水槽Ｔへの注水が自動的に停止される。その状態では装置本体２内の水位および吸水通路管３内の水位は共にＬＶ１３とほぼ同じである。【００３２】
図５および図６を参照して、水槽Ｔからの排水が開始されると水槽Ｔ内の水位は下降する。水槽Ｔ内の水位がＬＶ１２まで下降するまでは開口３２は水没したままであるので、装置本体２や吸水通路管３内に空気が侵入することができず、装置本体２内の水面Ｓ１および吸水通路管３内の水面Ｓ２は共にＬＶ１３のまま変動しない。【００３３】
水槽Ｔ内の水位がＬＶ１２より更に下降すると吸水通路管３の開口３２が水面から出て空気中に開放される。すると、装置本体２内の水面Ｓ１は急速に下降し、その下降に伴って吸水通路管３内の水が勢いよく装置本体２に吸い込まれる。そのため、その吸い込まれた水は噴出口３１から噴出してガード部６３に当たる。当たった水は薬剤保持部６上に落ち、通水窓６４を通って薬剤８の下面に到達し、薬剤８を溶解させる。そしてその溶解によって生成された薬液が滴下口６２から滴下され水槽Ｔ内に分配される。【００３４】
ところで上記実施に形態では図示しなかったが、薬剤８の近傍に芳香剤をセットする空間を確保し、あるいは蓋体４の下面に芳香剤をセットするようにしてもよい。上述のように水槽Ｔ内の水位が上昇および下降すると、本体内の空気が排出され、また再び吸引されるので、装置本体２内の空気が換気される。上述のように芳香剤をセットしておけば、香り成分を含んだ空気を装置本体２から放出させることができる。【００３５】
なお、上述の実施の形態のほかに、例えば図７および図８に示す形態を採用してもよい。この実施の形態では、上記装置本体２を上下に分割し、本体下部２ａと本体上部２ｂとで装置本体を接着して形成するようにした。この本体下部２ａの上端部分に薬剤保持部６を形成し、位置決め部６１の外側に滴下口６２を形成した。位置決め部６１は途中で分割されており、その分割部分を通って位置決め部６１の内側から外側に向かって薬液が流れるようにした。【００３６】
位置決め部６１の内側に、複数の突起６５を薬剤保持部６に一体に形成した。薬剤８はこれら複数の突起６５に支持されることにより薬剤保持部６の上面と薬剤８の下面との間に空間が形成される。そして、噴出口３１は上方に向かって開口させ、噴出口３１の下方から吸水通路管３を差し込んで取り付けるようにした。【００３７】
本体上部２ｂには、この噴出口３１の上方に位置して袋状の空間２２が形成されており、噴出口３１から本体上部２ｂ内に噴出した水は一旦この空間２２内に入る。そして、その水は空間２２の下部流出口２３から薬剤保持部６の上面へと流れ出るようにした。なお、本実施の形態ではゴム製の薄膜を逆止弁５ａとして用いた。【００３８】
ところで、上記各実施の形態共にフラッシュタンクＴに取り付ける際、フラッシュタンクＴの水位がもっとも上昇した際に薬剤８が水没しない位置に固定する必要がある。そこで、装置本体２や装置下部２ａの外周にフロートを取り付け、フラッシュタンクＴに固定することなく、水面が上昇すると装置も上昇するようにして、薬剤８が水没しないようにしてもよい。ただし、そのように構成する場合には、排水により水面が下降すると装置を所定の高さより下降させないように、紐などの可撓性を有するもので装置をフラッシュタンクＴの上端から吊り下げればよい。【００３９】
なお、本発明は上記した形態に限定されるものではなく、本発明の要旨を逸脱しない範囲内において種々の変更を加えてもかまわない。例えば、図９に示すように、吸水通路管３を２本、もしくはそれ以上の本数を設けてもよい。このように、吸水通路管３を複数本設けると、フラッシュタンクＴの満水時の水面が低く、排水した際に吸水通路管３の１本あたりの吸水量が少なくても必要な量の水量をトータルとして吸い上げることができる。また、吸水量を増加させたい場合に、吸水通路管３を太くすると、吸水途中で水が戻ってうまく吸水できない場合が生じるが、吸水通路管３の本数を増加させれば、このような不具合を生じさせることなく吸水量を増加させることができる。【００４０】
ところで、本実施の形態では狭義の固形の薬剤８を用いた例について示したが、特開２００５−６１１２９号公報に記載されているような、内部に濃縮された薬液を充填したカートリッジを広義の薬剤として、薬剤保持部６に載置して用いてもよい。また、上記実施の形態では薬剤保持部６を水平にしたが、例えば５度程度傾斜させて薬剤保持部６の上面に水はけをよくしてもよい。
【実施例】
【００４１】
本発明を実施例により更に具体的に説明する。但し本発明の範囲は、下記実施例により何等限定されるものではない。
１）薬剤の調整
（実施例１）【００４２】
常温固体のエチレンオキサイド−プロピレンオキサイドブロックポリマーの加熱溶融物２重量部と食用青色１号１重量部との混合スラリーを冷却鉄板上に滴下し、直径３ｍｍの粒状物を得た。この粒状物１５重量部とコハク酸７４重量部、ヒドロキシプロピルセルローズ微粉末１０重量部、トリアゾール系腐食防止剤１重量部の混合物を加圧成形し直径３０ｍｍ、高さ２５ｍｍの円柱形錠剤を得た。【００４３】
図１の溶解装置に上記錠剤２錠を積み重ねた状態で収納し、洋式便器の洗浄水タンク内に設置した。この便器を夫婦と子供２人の家庭で１ヶ月使用し、錠剤の溶解状態、１ヶ月間の錠剤溶解量、便器に流れる洗浄水の色調、便器の汚れの程度（清掃は薬剤を使用せず水拭きのみを１日１回実施）を目視で評価した。
（実施例２）【００４４】
常温固体のエチレンオキサイド−プロピレンオキサイドブロックポリマー３重量部、ソルビタンモノオレート１重量部及び食用青色１号２重量部からなる混合物をダブルスクリュー方式の押し出し機で混練り後、直径２ｍｍのパンチング板より押し出し長さ５ｍｍにカットし円柱形粒状物を得た。この粒状物２０重量部アジピン酸２５重量部、コハク酸４５重量部、ヒドロキシプロピルセルローズ微粉体１０重量部の混合物を加圧成形し直径３０ｍｍ、高さ２５ｍｍの円柱形錠剤を得た。【００４５】
図７の溶解装置に上記錠剤２錠を積み重ねた状態で収納し洋式便器の洗浄水タンク内に設置した。この便器を実施例１と同様の条件で使用、評価を行った。
（比較例１）【００４６】
市販の水洗トイレ洗浄水タンク内設置タイプの非イオン系界面活性剤を主体とする薬剤（商品名：ブルーレット・つり下げ（「ブルーレット」は登録商標である））の内容物を９０℃に加熱溶融した。この溶融物を型に流し込んだ後に冷却固化し、直径３０ｍｍ、高さ２５ｍｍの円柱形成形物を得た。【００４７】
図７の溶解装置に上記成形物２個を積み重ねて収納し、実施例２と同一の条件で使用、評価を行った。
（比較例２）【００４８】
実施例２の錠剤２錠を比較例１に記載の市販薬剤「ブルーレット・つり下げ」（「ブルーレット」は登録商標である）の空容器内に積み重ね状態で収納し、実施例２と同一の条件で使用、評価を行った。
（比較例３）【００４９】
水洗タンク内に薬剤を設置せずに実施例２と同一の条件で使用、評価を行った。【００５０】
試験結果を表１に示す。なお表中の記号と数値は以下の事項を意味する。
・洗浄水の色調変動：洗浄水色調の濃淡変動の程度を目視観察
◎：殆ど変動なし  ○：若干変動あるがほぼ良好  △：変動がある  ×：変動が大きく使用不可
・便器の黄ばみ：１ヶ月経過後に便器の色調を目視観察
◎：黄ばみなし  ○：若干黄ばみが発生  △：黄ばみ発生  ×：黄ばみが多い
・薬剤溶解量：１ヶ月後の薬剤の残存重量を測定し、薬剤溶解量を算出
・薬剤溶解状態：７日間隔で薬剤の形状を観察した。
【表１】
0004495734.tif 000002
２）実施例の効果【００５１】
表１に示す様に、手洗い部のついていない水洗トイレの洗浄水タンク内に、本発明の装置を吊り下げ本発明の薬剤を積み重ねて収納することにより、水洗トイレが使用され洗浄水タンク内の水面が低下する毎に、少量の洗浄水が装置内に吸引され、内部意収納された薬剤の最下部に接触し、薬剤を溶かした溶解液が洗浄水タンク内に滴下する。この薬剤を溶解した溶解液は装置内をゆっくりと流下して水洗トイレを洗浄するため、タンク内の洗浄水が流出する。そして、再度洗浄水がタンク内に溜った時点で洗浄水に大部分が添加されるため、薬液は洗浄水タンク内の上層部の洗浄水に高濃度に添加され、便器を洗浄する際は、洗浄初期には薬剤の濃度が低いタンク内下層の洗浄水で便器を洗浄し、後半に洗浄成分を高濃度に含むタンク上層の洗浄水が便器内に流れる。その結果、便器に付着した汚物を効果的に除去するとともに、便器表面や便器内の溜り水に洗浄成分が高濃度に含まれるため、効果的に便器を洗浄できた。【００５２】
本発明の薬剤は、水に溶解し易く、水と接触すると軟化し形が崩れる界面活性剤や色素が粒子状に成形され、水と接触しても軟化しない固体酸に包まれる形になっているため、錠剤が最下部でのみ短時間溶解水と接触することにより、固体酸、界面活性剤、色素等の有効成分が均一に溶解する。また、特別な容器を使用することなく、予備の薬剤を上部に補給することにより、長期間連続して洗浄水タンク内の洗浄水に各種有効成分を添加することが可能となる。【００５３】
本発明の薬剤において、固体酸は洗浄水のｐＨ値を低下させることにより、便器表面へのカルシウムスケールの付着を防ぎ、便器面の黄ばみやアンモニア臭の発生を防ぐと共に、便器面を良好な状態に保つことにより固形汚物の付着も防止する。界面活性剤は洗浄水の洗浄効果を向上させ、便器面への汚物の付着を防止するとともに、洗浄液を便器面に均一に分散させ、固体酸によりカルシウムスケールの防止効果を良好にする。また、色素は薬剤の流出の指標になるとともに、洗浄水を着色することによりトイレ使用者に清涼感を与える。薬剤錠剤の溶解速度は若干異なるが、本発明の薬液分配装置を洗浄水タンク内に設置することにより、便器へのカルシウムスケールの付着が防止され、便器面の黄ばみを防止するともに、汚物の付着を1ヶ月にわたり防止した。また、試験期間中洗浄水は薄いブルーに着色され、若干の濃淡の変化はあったがほぼ均一色素を溶解させた。【００５４】
本発明の薬液分配装置に市販の界面活性剤と色素を主成分とする薬剤を、本発明の薬剤と同一形状に成形し、収納した場合は、成形品の最下部にのみ溶解水を接触させた場合でも、収納薬剤全体が軟化し、形状が崩れ多量の洗浄成分が洗浄水タンク内に流入し、試験の継続が困難となった。【００５５】
また、本発明の界面活性剤の粒状物が固体酸に包まれた形の錠剤とした薬剤を、市販の洗浄水タンク内に設置して使用する薬剤の空容器内に収納して使用した場合は、トイレが使用されない場合は、薬剤の錠剤が常時水に浸漬した状態にあるため、水に溶けや易い色素と界面活性剤が使用開始後４日程度で溶解したため、初期においては高濃度の色素と界面活性剤が溶出し、その後の５〜６日は固体酸のみが溶出する現象が認められた。錠剤溶解後に再度錠剤２錠を追加収納したが、同様の溶解状態であった。【００５６】
なお、本発明は上記した形態に限定されるものではなく、本発明の要旨を逸脱しない範囲内において種々の変更を加えてもかまわない。
【産業上の利用可能性】
【００５７】
以上の説明から明らかなように、本発明は、吸水通路部を介して吸引される一定量の水に薬剤を溶解させて薬液を生成するので、大きな薬液タンクを必要とせず、また、１回のサイクルで薬剤に向かって吸い込まれる水の量は吸水通路部の体積を増減することによって調節することができ、１回ごとに生成される薬液の量を安定させることができる。また、装置全体を完全に水没させないので、比較的簡単な取り付け構造で装置全体を安定した姿勢で水槽に取り付けることができる。
【図１】
0004495734.tif 000003
【図２】
0004495734.tif 000004
【図３】
0004495734.tif 000005
【図４】
0004495734.tif 000006
【図５】
0004495734.tif 000007
【図６】
0004495734.tif 000008
【図７】
0004495734.tif 000009
【図８】
0004495734.tif 000010
【図９】
0004495734.tif 000011